(57)【特許請求の範囲】
【請求項１】
所定時間後の洗濯動作を予約設定する予約タイマー設定手段と、洗濯物の種類に応じた洗濯、すすぎ、脱水の一連の行程を設定するコース設定手段と、前記予約タイマー設定手段およびコース設定手段により設定された行程を逐次制御する制御手段と、前記制御手段により制御される負荷駆動手段および表示手段とを備え、前記表示手段は、予約設定された時に表示する予約設定表示とコースを表示するコース設定表示とを有し、前記予約タイマー設定手段は、前記コース設定手段と兼用して構成し、前記制御手段は、電源が投入された初期状態を予約設定なしのコース設定の状態とし、前記コース設定手段の操作にて、予約設定なしの複数個のコースのいずれか１つを順次設定可能とし、その後前記コース設定手段の操作が続けられることで、予約設定されたコース設定の状態として、予約設定された１個または複数個のコースのいずれか１つを順次設定可能とし、さらに前記コース設定手段の操作が続けられることで、前記予約設定なしのコース設定の状態に戻るように構成し、前記予約設定されたコースが設定されたとき、前記予約設定表示と設定されたコースの前記コース設定表示とを同時に表示するよう構成した洗濯機の制御装置。
【請求項２】
予約設定表示は、コース設定表示とは異なる色で表示し、かつ予約設定されたコースの実行時には予約設定表示は、点灯状態にした請求項１記載の洗濯機の制御装置。
【請求項３】
予約設定表示は、コース設定表示の最上段部の位置に設けた請求項１記載の洗濯機の制御装置。
【発明の詳細な説明】
【０００１】
【発明の属する技術分野】
本発明は、所定時間後に洗濯動作を予約設定可能な洗濯機の制御装置に関するものである。
【０００２】
【従来の技術】
従来、この種の洗濯機の制御装置は図６に示すように構成していた。以下、その構成について説明する。
【０００３】
図６に示すように、予約タイマー設定手段１は、所定時間後の洗濯動作を予約設定し、コース設定手段２は、洗濯物の種類に応じた洗濯、すすぎ、脱水の一連の行程、すなわち、「標準」、「念入り」、「毛布」、「手洗い」などのコースを設定するものである。個別設定手段３は、給水水位、洗い時間、すすぎ回数、脱水時間などを個別に設定するものである。スタート／一時停止設定手段４は、動作のスタートまたは一時停止を設定するものである。
【０００４】
これら予約タイマー設定手段１、コース設定手段２、個別設定手段３、スタート／一時停止設定手段４などの出力を制御手段５に入力し、制御手段５は、予約タイマー設定手段１、コース設定手段２、個別設定手段３などの出力内容に応じて、洗濯、すすぎ、脱水の動作を負荷駆動手段６を制御することにより実行するとともに、表示手段７を制御して設定内容および動作内容を表示する。
【０００５】
予約タイマー設定手段１は、図７に示すように、予約設定スイッチ８で構成し、コース設定手段２は、コース設定スイッチ９で構成して、コース設定スイッチ９を操作して所定のコースを設定した後、所定時間後の洗濯動作を予約設定スイッチ８を操作して設定するように構成していた。なお、図７において、水位設定スイッチ１０および行程設定スイッチ１１は、個別設定手段３を構成し、スタート／一時停止スイッチ１２は、スタート／一時停止設定手段４を構成するものである。また、１３は電源スイッチで、電源の切／入をするものである。
【０００６】
【発明が解決しようとする課題】
このような従来の構成では、所定時間後の洗濯動作を予約設定するとき、予約設定スイッチ８とコース設定スイッチ９の２つのスイッチを操作する必要があり、操作が複雑で使用勝手が悪いものとなっていた。また、予約設定スイッチ８とコース設定スイッチ９の２つのスイッチが必要であるために、構成上コスト高となっていた。
【０００７】
本発明は上記課題を解決するもので、シンプルな操作性で、使用勝手を向上するとともにデザイン性を向上し、かつ安価で、表示を見やすくすることを目的としている。
【０００８】
【課題を解決するための手段】
本発明は上記目的を達成するために、所定時間後の洗濯動作を予約設定する予約タイマー設定手段と、洗濯物の種類に応じた洗濯、すすぎ、脱水の一連の行程を設定するコース設定手段とにより設定された行程を、制御手段により負荷駆動手段および表示手段を制御して逐次制御するよう構成し、表示手段は、予約設定された時に表示する予約設定表示とコースを表示するコース設定表示とを有し、予約タイマー設定手段は、コース設定手段と兼用して構成し、制御手段は、電源が投入された初期状態を予約設定なしのコース設定の状態とし、コース設定手段の操作にて、予約設定なしの複数個のコースのいずれか１つを順次設定可能とし、その後コース設定手段の操作が続けられることで、予約設定されたコース設定の状態として、予約設定された１個または複数個のコースのいずれか１つを順次設定可能とし、さらにコース設定手段の操作が続けられることで、予約設定なしのコース設定の状態に戻るように構成し、予約設定されたコースが設定されたとき、予約設定表示と設定されたコースのコース設定表示とを同時に表示するよう構成したものである。
【０００９】
これにより、シンプルな操作性で、使用勝手を向上できるとともにデザイン性を向上することができ、かつ安価で表示を見やすくすることができる。
【００１０】
【発明の実施の形態】
本発明の請求項１に記載の発明は、所定時間後の洗濯動作を予約設定する予約タイマー設定手段と、洗濯物の種類に応じた洗濯、すすぎ、脱水の一連の行程を設定するコース設定手段と、前記予約タイマー設定手段およびコース設定手段により設定された行程を逐次制御する制御手段と、前記制御手段により制御される負荷駆動手段および表示手段とを備え、前記表示手段は、予約設定された時に表示する予約設定表示とコースを表示するコース設定表示とを有し、前記予約タイマー設定手段は、前記コース設定手段と兼用して構成し、前記制御手段は、電源が投入された初期状態を予約設定なしのコース設定の状態とし、前記コース設定手段の操作にて、予約設定なしの複数個のコースのいずれか１つを順次設定可能とし、その後前記コース設定手段の操作が続けられることで、予約設定されたコース設定の状態として、予約設定された１個または複数個のコースのいずれか１つを順次設定可能とし、さらに前記コース設定手段の操作が続けられることで、前記予約設定なしのコース設定の状態に戻るように構成し、前記予約設定されたコースが設定されたとき、前記予約設定表示と設定されたコースの前記コース設定表示とを同時に表示するよう構成したものであり、予約タイマー設定手段は、コース設定手段と兼用して構成しているため、コース設定手段の操作により予約設定することができて、簡単に操作することができるとともに、別個の専用の予約タイマー設定手段が不要であるために、構成上安価なものとすることができ、また、予約設定したとき、予約設定表示とコース設定表示とを同時に表示することにより、表示を見やすくすることができ、さらに、予約無しのコース設定と、予約設定とを明確に区分して設定することができ、操作性を向上できるとともに、使用勝手を向上することができる。
【００１１】
請求項２に記載の発明は、上記請求項１に記載の発明において、予約設定表示は、コース設定表示とは異なる色で表示し、かつ予約設定されたコースの実行時には予約設定表示は、点灯状態にしたものであり、予約設定時に予約設定表示とコース設定表示とを明確に区分して表示することができて視認性を向上することができ、また、予約実行時には予約設定表示を点灯状態にすることで、予約実行後の待機中の点灯状態での認知性を向上することができる。
【００１２】
請求項３に記載の発明は、上記請求項１に記載の発明において、予約設定表示は、コース設定表示の最上段部の位置に設けたものであり、予約設定をしたときの設定表示を各種コースの設定表示と明確に区分することができ、視認性を向上することができる。
【００１３】
【実施例】
以下、本発明の実施例について、図面を参照しながら説明する。なお、従来例と同じ構成のものは同一符号を付して説明を省略する。
【００１４】
（実施例１）
図１に示すように、予約タイマー設定手段１４は、所定時間後の洗濯動作を予約設定するもので、コース設定手段１５は、洗濯物の種類に応じた洗濯、すすぎ、脱水の一連の行程を設定するものであり、これらは兼用して、図２に示すように、コース（予約）設定スイッチ１６を構成し、制御手段１７に入力している。
【００１５】
このコース（予約）設定スイッチ１６を操作すると、図３に示すように、コース（予約）設定スイッチ１６を操作するごとに、予約設定なしの「標準」、「念入り」、「スピーディ」、「毛布」、「手洗い」のコースが設定され、その後、予約設定の「標準」、「念入り」が設定される。コース（予約）設定スイッチ１６を操作して、予約設定したとき、予約設定表示１８とコース設定表示１９とを同時に表示するよう構成している。他の構成は従来例と同じである。
【００１６】
つぎに、本実施例の具体的な制御装置を図４により説明する。制御手段１７は、マイクロコンピュータで構成し、予約タイマー設定手段１４、コース設定手段１５、個別設定手段３、スタート／一時停止設定手段４からの信号を入力する。制御手段１７は記憶部１７ａに内蔵したプログラムにより、予約タイマー設定手段１４、コース設定手段１５、個別設定手段３、スタート／一時停止設定手段４からの入力を判別し、給水弁、排水弁、モータ等の負荷（図示せず）を駆動するための信号および予約の有無、予約時間、設定内容および動作内容を表示するための信号を出力部１７ｃに発生する。
【００１７】
具体的には、洗濯、すすぎ、最終脱水の時間データ等を記憶した記憶部１７ａ、各設定手段の出力を入力する入力部１７ｂ、負荷駆動手段６および表示手段７への制御信号を出力する出力部１７ｃ、記憶部１７ａ、入力部１７ｂ、出力部１７ｃをそれぞれ制御し、データの比較演算等を行う演算制御部１７ｄを有する。
【００１８】
上記構成において動作を説明すると、電源スイッチ１３を投入すると、初期状態では、予約設定なしの「標準」コースが設定され、ここで、所定時間後の洗濯動作を予約設定、または洗濯物の種類に応じて、コース（予約）設定スイッチ１６を操作することにより、所定のコースを設定することができる。
【００１９】
ここで、予約設定なしのときは、所定のコース設定表示１９を表示し、予約設定したときは、予約設定表示１８と所定のコース設定表示１９とを同時に表示する。その後、スタート／一時停止スイッチ１２を操作することで動作を開始し、所定の洗濯、すすぎ、脱水の一連の行程の動作を行う。
【００２０】
このように本実施例によれば、コース（予約）設定スイッチ１６の操作により、予約設定なしのコースが設定され、その後予約設定をすることができ、簡単に操作することができるとともに、別個の専用の予約設定スイッチが不要であるために、構成上安価なものとすることができる。また、予約設定したとき、予約設定表示１８とコース設定表示１９とを同時に表示することにより、表示を見やすくすることができる。
【００２１】
なお、本実施例では、設定可能なコースは、「標準」、「念入り」、「スピーディ」、「毛布」、「手洗い」の各コースとしているが、これに限定されるものでなく、また、予約設定とコース設定との組合せと数は、商品仕様で自由に設定可能である。
【００２２】
（実施例２）
図５（ａ）は、「標準」コースで予約設定したときの予約設定表示１８とコース設定表示１９との表示を示しており、図５（ｂ）は、予約実行時の表示を示している。
【００２３】
図に示すように、予約設定表示１８は、コース設定表示１９と異なる色（たとえば、予約設定表示１８を緑色、コース設定表示１９を赤色）で表示し、予約実行時には、図５（ｂ）に示すように、予約設定表示１８は、点灯状態にしている。また、予約設定表示１８は、コース設定表示１９の最上段部の位置に設けている。他の構成は上記実施例１と同じである。
【００２４】
上記構成において作用を説明すると、予約設定表示１８をコース設定表示１９とは異なる色で表示することで、予約設定時に予約設定表示１８とコース設定表示１９とを明確に区分して表示することができて視認性を向上することができ、また、予約実行時には予約設定表示１８を点灯状態にすることで、予約実行後の待機中の点灯状態での認知性を向上することができる。
【００２５】
また、予約設定表示１８をコース設定表示１９の最上段部の位置に設けることで、予約設定をしたときの設定表示を各種コースの設定表示と明確に区分することができ、視認性を向上することができる。
【００２６】
【発明の効果】
以上のように本発明の請求項１に記載の発明によれば、所定時間後の洗濯動作を予約設定する予約タイマー設定手段と、洗濯物の種類に応じた洗濯、すすぎ、脱水の一連の行程を設定するコース設定手段と、前記予約タイマー設定手段およびコース設定手段により設定された行程を逐次制御する制御手段と、前記制御手段により制御される負荷駆動手段および表示手段とを備え、前記表示手段は、予約設定された時に表示する予約設定表示とコースを表示するコース設定表示とを有し、前記予約タイマー設定手段は、前記コース設定手段と兼用して構成し、前記制御手段は、電源が投入された初期状態を予約設定なしのコース設定の状態とし、前記コース設定手段の操作にて、予約設定なしの複数個のコースのいずれか１つを順次設定可能とし、その後前記コース設定手段の操作が続けられることで、予約設定されたコース設定の状態として、予約設定された１個または複数個のコースのいずれか１つを順次設定可能とし、さらに前記コース設定手段の操作が続けられることで、前記予約設定なしのコース設定の状態に戻るように構成し、前記予約設定されたコースが設定されたとき、前記予約設定表示と設定されたコースの前記コース設定表示とを同時に表示するよう構成したから、予約タイマー設定手段は、コース設定手段と兼用して構成しているため、コース設定手段の操作により予約設定なしの複数個のコースおよび予約設定された１個または複数個のコースのいずれか１つを順次設定することができて、簡単に操作することができるとともに、別個の専用の予約タイマー設定手段が不要であるために、構成上安価なものとすることができ、また、予約設定したとき、予約設定表示とコース設定表示とを同時に表示することにより、表示を見やすくすることができ、さらに、予約設定なしのコース設定と、予約設定されたコース設定とを明確に区分して設定することができ、操作性を向上できるとともに、使用勝手を向上することができる。
【００２７】
また、請求項２に記載の発明によれば、予約設定表示は、コース設定表示とは異なる色で表示し、かつ予約設定されたコースの実行時には予約設定表示は、点灯状態にしたから、予約設定時に予約設定表示とコース設定表示とを明確に区分して表示することができて視認性を向上することができ、また、予約実行時には予約設定表示を点灯状態にすることで、予約実行後の待機中の点灯状態での認知性を向上することができる。
【００２８】
また、請求項３に記載の発明によれば、予約設定表示は、コース設定表示の最上段部の位置に設けたから、予約設定をしたときの設定表示を各種コースの設定表示と明確に区分することができ、視認性を向上することができる。
【図面の簡単な説明】
【図１】  本発明の第１の実施例の洗濯機の制御装置のブロック図
【図２】  同洗濯機の制御装置の操作表示部の正面図
【図３】  同洗濯機の制御装置のコース内容の切り替わり順序を示す図
【図４】  同洗濯機の制御装置の具体ブロック図
【図５】  （ａ）同洗濯機の制御装置の予約設定時の表示を示す図
（ｂ）同洗濯機の制御装置の予約実行時の表示を示す図
【図６】  従来の洗濯機の制御装置のブロック図
【図７】  同洗濯機の制御装置の操作表示部の正面図
【符号の説明】
６  負荷駆動手段
７  表示手段
１４  予約タイマー設定手段
１５  コース設定手段
１７  制御手段
１８  予約設定表示
１９  コース設定表示
【図１】
0003873410.tif 000002
【図２】
0003873410.tif 000003
【図３】
0003873410.tif 000004
【図４】
0003873410.tif 000005
【図５】
0003873410.tif 000006
【図６】
0003873410.tif 000007
【図７】
0003873410.tif 000008